(57)【要約】【課題】監視対象機器とデータセンタの間の通信量を削減すること。【解決手段】グラフ作成要求を発行して作成したグラフをユーザインタフェースに表示する監視デバイスと、監視対象機器からサンプリングデータおよび変化データを入手するリモートステーションと、監視デバイスとインターネットを経由して接続し、リモートステーションとはキャリア網を経由してインターネットに接続するデータセンタと、を備え、リモートステーションは、変化データがあるかどうかを判定し、変化データがあると判定した場合には、サンプリングデータと変化データをキャリア網を通じて発信し、変化データがないと判定した場合には、サンプリングデータをキャリア網を通じて発信し、データセンタは、キャリア網とインターネットを経由して、リモートステーションからサンプリングデータまたは変化データを受信すると、蓄積データに格納する。【選択図】図１２
2017208633.tif 000002
【特許請求の範囲】
【請求項１】
グラフの範囲を指定するグラフ作成要求を発行してグラフを作成し、作成したグラフはユーザインタフェースに表示する監視デバイスと、
監視対象機器に接続され、この監視対象機器からサンプリングデータおよび変化データを入手するリモートステーションと、
前記監視デバイスとインターネットを経由して接続し、前記リモートステーションとはキャリア網を経由して前記インターネットに接続するデータセンタと、を備え、
前記リモートステーションは、変化データがあるかどうかを判定し、変化データがあると判定した場合には、サンプリングデータと変化データを前記キャリア網を通じて発信し、変化データがないと判定した場合には、サンプリングデータを前記キャリア網を通じて発信し、
前記データセンタは、前記キャリア網と前記インターネットを経由して、前記リモートステーションからサンプリングデータまたは変化データを受信すると、蓄積データに格納することを特徴とするリモート監視システム。
【請求項２】
前記監視デバイスは、グラフ作成要求を発行すると、前記データセンタに対して閲覧要求を発信し、
前記データセンタは、前記監視デバイスから閲覧要求を受け付けると、格納されている蓄積データの中からこの閲覧要求に対応する蓄積データを抽出して前記監視デバイスに送信し、
前記監視デバイスは、前記データセンタから蓄積データを受信すると、この蓄積データからグラフ作成要求に対応した加工データを生成し、この生成された加工データを取り入れてグラフを作成して前記ユーザインタフェースに表示することを特徴とする請求項１に記載のリモート監視システム。
【請求項３】
前記監視デバイスは、グラフ作成要求を発行すると、前記データセンタに対してこのグラフ作成要求に対応した閲覧要求を発信し、
前記データセンタは、前記監視デバイスから閲覧要求を受け付けると、格納されている蓄積データからこの閲覧要求に対応した加工データを生成し、生成した加工データは前記監視デバイスに送信し、
前記監視デバイスは、前記データセンタから加工データを受信すると、この加工データを取り入れてグラフを作成して前記ユーザインタフェースに表示することを特徴とする請求項１に記載のリモート監視システム。
【発明の詳細な説明】
【技術分野】
【０００１】
この発明は、リモート監視システムに関し、特に、サンプリングデータを発行する監視対象機器と接続しているリモート監視システムに関するものである。
【背景技術】
【０００２】
受配電設備などの監視対象機器を対象にしたリモート監視システムでは、監視対象機器の状態や計測値を、リモートステーションを経由して、取得している。取得した監視対象機器の状態や計測値は、データセンタに保存され、専用の監視デバイスを用いて表示出力される（例えば特許文献１〜３を参照）。受配電設備とデータセンタは、通信接続されており、受配電設備の監視対象機器は、情報、計測値が、データセンタにて一元管理されている。
【０００３】
受配電設備とデータセンタの間の通信接続方法には、有線接続方式と無線接続方式が用いられている。有線接続は、無線接続と比べ通信速度が高速である。これに対し、無線接続は、回線工事の必要がなく、容易に導入することができる。無線接続では、監視対象機器の状態、計測値の容量が大きい場合、データ送信に遅延が生じて、監視機能を充分には果たせなくなることが想定されている。
【先行技術文献】
【特許文献】
【０００４】
【特許文献１】特開平２−１１９４９７号公報
【特許文献２】特開２０１４−５５８９４号公報
【特許文献３】特開２００９−１１２１５５号公報
【発明の概要】
【発明が解決しようとする課題】
【０００５】
リモート監視システムでは、データ送信の遅延により、監視機能が果たせなくなることを避けるために、監視対象機器に関する状態、計測値などの容量を小さくすることが望ましい。このような監視システムでは、監視デバイスが専用機器となるため、故障した場合、修理が完了するまで監視機能を実行することが不能になる。そこで、本願では、監視対象機器とデータセンタの間の通信量を削減することができる、無線接続によるリモート監視システムを構築することを目指している。
【課題を解決するための手段】
【０００６】
本発明に係わるリモート監視システムは、グラフの範囲を指定するグラフ作成要求を発行してグラフを作成し、作成したグラフはユーザインタフェースに表示する監視デバイスと、監視対象機器に接続され、この監視対象機器からサンプリングデータおよび変化データを入手するリモートステーションと、監視デバイスとインターネットを経由して接続し、リモートステーションとはキャリア網を経由してインターネットに接続するデータセンタと、を備え、リモートステーションは、変化データがあるかどうかを判定し、変化データがあると判定した場合には、サンプリングデータと変化データをキャリア網を通じて発信し、変化データがないと判定した場合には、サンプリングデータをキャリア網を通じて発信し、データセンタは、キャリア網とインターネットを経由して、リモートステーションからサンプリングデータまたは変化データを受信すると、蓄積データに格納することを特徴とする。
【発明の効果】
【０００７】
本発明に係わるリモート監視システムは、グラフの範囲を指定するグラフ作成要求を発行してグラフを作成し、作成したグラフはユーザインタフェースに表示する監視デバイスと、監視対象機器に接続され、この監視対象機器からサンプリングデータおよび変化データを入手するリモートステーションと、監視デバイスとインターネットを経由して接続し、リモートステーションとはキャリア網を経由してインターネットに接続するデータセンタと、を備え、リモートステーションは、変化データがあるかどうかを判定し、変化データがあると判定した場合には、サンプリングデータと変化データをキャリア網を通じて発信し、変化データがないと判定した場合には、サンプリングデータをキャリア網を通じて発信し、データセンタは、キャリア網とインターネットを経由して、リモートステーションからサンプリングデータまたは変化データを受信すると、蓄積データに格納することにより、監視対象機器とデータセンタの間の通信量を削減することができ、無線接続でのリモート監視システムが可能となる。
【図面の簡単な説明】
【０００８】
【図１】本発明の実施の形態に係るリモート監視システムのハードウエア構成を示す全体図である。
【図２】本発明の実施の形態１に係るリモート監視システムのソフトウエア構成を示す全体図である。
【図３】本発明の実施の形態１に係るデータの流れ示す全体図である。
【図４】監視対象機器の計測値に関する設定データを示している図である。
【図５】監視対象機器の状態信号に関する設定データを示している図である。
【図６】監視対象機器が発行したサンプリングデータを示している図である。
【図７】回路ナンバーと監視対象機器ＩＤに関する変化データを示している図である。
【図８】監視対象機器から発行されたサンプリングデータを蓄積させた蓄積データを表している図である
【図９】本発明の実施の形態に係るグラフ作成要求を示している図である。
【図１０】本発明の実施の形態１に係る閲覧要求を示している図である。
【図１１】本発明の実施の形態に係る加工データを示している図である。
【図１２】本発明の実施の形態１に係るリモート監視システムのフローを示している図である。
【図１３】本発明の実施の形態２に係るリモート監視システムのソフトウエア構成を示す全体図である。
【図１４】本発明の実施の形態２に係るデータの流れ示す全体図である。
【図１５】本発明の実施の形態２に係る閲覧要求を示している図である。
【図１６】本発明の実施の形態２に係るリモート監視システムのフローを示している図である。
【発明を実施するための形態】
【０００９】
本発明の実施の形態に係るリモート監視システムについて、図を参照しながら以下に説明する。なお、各図において、同一または同様の構成部分については同じ符号を付しており、対応する各構成部のサイズや縮尺はそれぞれ独立している。例えば構成の一部を変更した断面図の間で、変更されていない同一構成部分を図示する際に、同一構成部分のサイズや縮尺が異なっている場合もある。また、リモート監視システムの構成は、実際にはさらに複数の部材を備えているが、説明を簡単にするため、説明に必要な部分のみを記載し、他の部分については省略している。
【００１０】
実施の形態１．
以下、この発明の実施の形態に係るリモート監視システムについて、図面を参照しながら説明する。なお、各図において、同一符号は、それぞれ、同一又は相当する部分を示す。図１は、この発明の実施の形態１に係るリモート監視システムの全体的なハードウエア構成を示している。ただし、同図では、この発明に直接関与しない構成要素については、図示を省略している。
【００１１】
リモート監視システム１００は、監視デバイス１、データセンタ２、リモートステーション３、監視対象機器４０などから構成されている。監視デバイス１とデータセンタ２は、インターネット７で接続されている。リモートステーション３は、キャリア網８を通じて、インターネット７に接続している。キャリア網は、キャリア（通信事業者）の独自のネットワークを指している。受配電設備を対象にした監視対象機器４０は、リモートステーション３と専用線で接続されている。
【００１２】
監視デバイス１は、受信装置１ａ、プロセッサ１ｂ、メモリ１ｃ、ディスプレイ１ｄなどから構成されている。データセンタ２は、受信装置２ａ、プロセッサ２ｂ、メモリ２ｃ、ディスプレイ２ｄなどから構成されている。リモートステーション３は、受信装置３ａ、プロセッサ３ｂ、メモリ３ｃ、ディスプレイ３ｄなどから構成されている。
【００１３】
ここで、メモリ１ｃ、メモリ２ｃおよびメモリ３ｃは、例えば、ＲＡＭ（Random Access Memory）、ＲＯＭ（Read Only Memory）、フラッシュメモリー、ＥＰＲＯＭ（Erasable Programmable Read Only Memory）、ＥＥＰＲＯＭ（Electrically Erasable Programmable Read-Only Memory）等の、不揮発性または揮発性の半導体メモリや、磁気ディスク、フレキシブルディスク、光ディスク、コンパクトディスク、ミニディスク、ＤＶＤ（Digital Versatile Disc）等が該当する。
【００１４】
図２は、本実施の形態にかかわるリモート監視システムの、主に、ソフトウエア構成を示している。リモート監視システム１００は、監視デバイス１、データセンタ２、リモートステーション３などから構成されている。監視デバイス１とデータセンタ２は、インターネット７で接続されている。リモートステーション３は、キャリア網８を通じて、インターネット７と接続されている。キャリア網は、キャリア（通信事業者）の独自のネットワークを指している。
【００１５】
監視デバイス１は、汎用デバイスであり、通信処理部４、データ処理部５、ユーザインタフェース６などから構成されている。データセンタ２は、通信処理部９、データ入出力部１０、データ保存部１１などから構成されている。キャリア網では、無線通信が使われている。監視対象機器４０は、リモートステーション３と専用線で接続されている。リモートステーション３は、他局通信部１５、リモートステーション制御部１４、データ入出力部１３、キャリア網通信処理部１２などから構成されている。
【００１６】
他局通信部１５は、監視対象機器４０の状態や故障の有無を監視している。他局通信部１５は、監視対象機器４０から計測値の情報を授受し、制御命令などを監視対象機器４０に出力する。リモートステーション制御部１４は、リモートステーション３の内部の制御処理を担っている。データ入出力部１３は、データの入出力を担っている。キャリア網通信処理部１２は、リモートステーション３の情報をキャリア網８を経由してデータセンタ２へ送信するために設けられている。
【００１７】
リモートステーション３のキャリア網通信処理部１２は、キャリア網８とインターネット７を介して、データセンタ２の通信処理部９と通信する。リモートステーション３の情報は、データセンタ２のデータ入出力部１０により、データセンタ２のデータ保存部１１に保存される。監視デバイス１の通信処理部４は、インターネット７を介して、データセンタ２の通信処理部９と通信する。データセンタ２は、監視デバイス１から監視データの閲覧要求があれば、データ保存部１１のデータを、監視デバイス１に送信する。送信されたデータは、監視デバイス１のデータ処理部５で加工し、ユーザインタフェース６にて表示する構成となっている。
【００１８】
監視デバイス１における入力部は通信処理部４であり、出力部またはユーザインタフェース６はディスプレイ１ｄである。監視デバイス１におけるデータ処理部５の各機能は、プロセッサ１ｂおよびメモリ１ｃにより実現される。データ処理部５は、専用のハードウエアであっても、メモリ１ｃに格納されるプログラムを実行するＣＰＵ（Central Processing Unit：中央処理装置）であってもよい。ＣＰＵは、処理装置、演算装置、マイクロプロセッサ、マイクロコンピュータ、プロセッサ、ＤＳＰ（Digital Signal Processor）ともいう。
【００１９】
データ処理部５がＣＰＵの場合、監視デバイス１の機能は、ソフトウエア、ファームウェア、またはソフトウエアとファームウェアとの組み合わせにより実現される。ソフトウエアやファームウェアはプログラムとして記述され、メモリ１ｃに格納される。データ処理部５は、メモリ１ｃに記憶されたプログラムを読み出して実行することにより、各部の機能を実現する。
【００２０】
同様に、データセンタ２における入力部は通信処理部９であり、出力部はディスプレイ２ｄである。データセンタ２におけるデータ入出力部１０の各機能は、プロセッサ２ｂおよびメモリ２ｃにより実現される。データ入出力部１０は、専用のハードウエアであっても、メモリ２ｃに格納されるプログラムを実行するＣＰＵ（Central Processing Unit：中央処理装置）であってもよい。ＣＰＵは、処理装置、演算装置、マイクロプロセッサ、マイクロコンピュータ、プロセッサ、ＤＳＰ（Digital Signal Processor）ともいう。
【００２１】
同様に、リモートステーション３における入力部はキャリア網通信処理部１２であり、出力部はディスプレイ３ｄである。リモートステーション３におけるデータ入出力部１３およびリモートステーション制御部１４の各機能は、プロセッサ３ｂおよびメモリ３ｃにより実現される。データ入出力部１３およびリモートステーション制御部１４は、専用のハードウエアであっても、メモリ３ｃに格納されるプログラムを実行するＣＰＵ（Central Processing Unit：中央処理装置）であってもよい。ＣＰＵは、処理装置、演算装置、マイクロプロセッサ、マイクロコンピュータ、プロセッサ、ＤＳＰ（Digital Signal Processor）ともいう。
【００２２】
図３は、本実施の形態にかかわるデータの流れを示している。本実施の形態に係るリモート監視システム１００では、サンプリングデータ１７、変化データ１８、設定データ１９、蓄積データ２０、加工データ１６、閲覧要求３５、グラフ作成要求３６などが扱われている。サンプリングデータ１７は、監視対象機器４０における計測値をサンプリングしたデータを意味している。変化データ１８は、監視対象機器４０の状態信号や故障信号の変化、また監視対象機器４０の内部の設定値変更や電源操作を記録したログ情報の変化を意味している。
【００２３】
設定データ１９は、監視対象機器４０の、状態信号や故障信号、電流や電圧などの、アナログ信号の設定値を管理している。データセンタ２では、サンプリングデータ１７と変化データ１８に対する蓄積データ２０を格納している。加工データ１６は、監視デバイス１にて、グラフや帳票を生成するのに使用する。
【００２４】
図４は、監視対象機器４０の計測値を表す設定データ１９を示している。例えば、アナログ信号の場合、回路ナンバー２１には、各信号にユニークな番号を割り付けている。回路ナンバー２１に対して、リモート監視システム１００（ユーザインタフェース６）にて表示する信号名称２２、計測機器におけるカウント最小２３とカウント最大２４、表示時にカウント値を工学値変換するために用いる工学レンジ最小２５と工学レンジ最大２６、単位２７を割り付けている。
【００２５】
図５は、監視対象機器４０の状態信号および故障信号を表す場合の設定データ１９を示している。ユニークな番号である回路ナンバー２１に対して、信号名称２２、ＯＮ時に表示するＯＮ側名称２８、ＯＦＦ時に表示するＯＦＦ側名称２９を割り付けている。
【００２６】
図６は、サンプリングデータ１７の例を示している。サンプリングデータ１７は、監視対象機器４０の計測値を示すデータ（アナログ信号）を表している。リモートステーション３の他局通信部１５は、監視対象機器４０の計測データを定周期でサンプリングし、その時刻３０に対するアナログ信号の計測値を紐づけている。サンプリングデータ１７は、リモートステーション３のキャリア網通信処理部１２からデータセンタ２へ送信される。
【００２７】
図７は、監視対象機器４０に関する変化データ１８の例として、状態信号とログ情報の変化データを示している。ここで、ログ情報は、監視対象機器４０における内部の設定値変更や電源操作を記録したものである。変化データ１８は、状態信号やログ情報が変化した時刻３０に対して、記録されている。監視対象機器４０の状態信号の場合は、変化した信号の回路ナンバー２１と変化後の状態信号/故障信号３１を紐づける。監視対象機器４０のログ情報の場合は、監視対象機器ＩＤ３３とログ内容を示すログコード３２を紐づける。監視対象機器ＩＤ３３は、設定値変更や電源操作が行われた対象（監視対象機器）を示している。ログコード３２は、「0Ah」、「10h」、「06h」などの予め決められた１６進数の記号で、装置（監視対象機器）の状態を表している。
【００２８】
図８は、監視対象機器４０の状態信号、故障信号、計測値を蓄積させた蓄積データ２０を表している。蓄積データ２０は、データのサンプリングを行った時刻３０に対して、例えばアナログ信号の場合、監視対象機器４０の電流、電圧、気温などの計測値を紐づけている。蓄積データ２０は、サンプリングデータ１７と変化データ１８を対象にし、ここでは、回路ナンバー「１」〜「５」の機器から発行されたデータが、時刻とともに示されている。
【００２９】
図９は、本実施の形態に係わるグラフ作成要求３６を示している。グラフ作成要求３６は、監視デバイス１の操作者が表示したい、グラフデータまたは帳票データの範囲を示している。グラフ作成要求３６は、監視デバイス１の操作者が、グラフまたは帳票をユーザインタフェース６に表示する場合に、データ処理部５から発行される。本実施の形態に係わるリモート監視システムでは、監視デバイス１がグラフ作成要求３６を発行すると、データセンタ２のデータ入出力部１０に対して閲覧要求３５を送信する。
【００３０】
グラフ作成要求３６は、回路ナンバー２１と取得範囲３４から構成されている。回路ナンバー２１は、グラフまたは帳票を作成する監視対象機器を指定している。取得範囲３４は、開始時刻と終了時刻から構成され、グラフまたは帳票を作成する期間を指定している。この図では、監視デバイス１の操作者が、回路ナンバー「１」と回路ナンバー「５」の監視対象機器に対して、時刻（2016/02/29/ 18:10:00）から時刻（2016/02/29/ 18:14:00）までの、グラフおよび帳票を作成することを指定している。
【００３１】
図１０は、本実施の形態に係わる閲覧要求３５を示している。閲覧要求３５は、監視デバイス１からデータセンタ２に対して発信される。ここでは、閲覧要求３５は、回路ナンバー２１と取得範囲３４から構成されている。取得範囲３４は、開始時刻と終了時刻から構成されている。図では、開始時刻と終了時刻とも、点線で表されており、特に指定がない。すなわち、この閲覧要求３５は、全ての時刻のデータを要求している。閲覧要求３５を受信したデータセンタ２は、回路ナンバー「１」と回路ナンバー「５」の監視対象機器に対する蓄積データ２０を全ての期間にわたって抽出し、監視デバイス１に送信する。従って、監視デバイス１は、データセンタ２の蓄積データ２０から、閲覧要求３５に基づいて、必要なデータをダウンロードする。
【００３２】
図１１は、加工データ１６を示している。監視デバイス１は、データ処理部５により、ダウンロードした蓄積データから加工データ１６を生成する。例えば、アナログ信号の場合、指定の回路ナンバー２１における、アナログ信号のサンプリングを行った時刻３０ごとの加工データ１６を生成する。監視デバイス１は、グラフデータや帳票データを参照する際、加工データ１６を取り入れて、ユーザインタフェース６に表示する。加工データ１６には、グラフ作成要求３６に従って、回路ナンバー「１」と回路ナンバー「５」の監視対象機器に対する、時刻（2016/02/29/ 18:10:00）から時刻（2016/02/29/ 18:14:00）までのアナログデータが表示されている。
【００３３】
図１２は、本実施の形態に関わるリモート監視システム１００における、処理フローを示している。リモートステーション３は、監視対象機器４０の状態信号、故障信号、監視対象機器の内部のログ情報について、変化があるかどうかを常に監視している（Ｓ００１）。リモートステーション３は、変化データがない場合はサンプリングデータ１７のみをデータセンタ２へ送信する（Ｓ００３）。変化データがあった場合は、変化データ１８とサンプリングデータ１７をデータセンタ２へ送信する（Ｓ００２，Ｓ００３）。データセンタ２は、受信した変化データ１８とサンプリングデータ１７を蓄積データ２０へ格納する（Ｓ００４）。
【００３４】
データセンタ２は、さらに、監視デバイス１からデータ送信の要求があるかどうかを監視している（Ｓ００５）。監視デバイス１は、グラフデータや帳票データを作成するためにデータ送信の要求がある場合、データセンタ２に閲覧要求を送信する。データセンタ２は、監視デバイス１から閲覧要求を受信すると、監視デバイス１へ閲覧要求に対応した蓄積データ２０を送信する（Ｓ００６）。監視デバイス１は、データ処理部５にて、受信した蓄積データ２０から加工データ１６を生成し（Ｓ００７）、ユーザインタフェース６に表示する（Ｓ００８）。要求が無い場合は、Ｓ００１の処理へ戻る。
【００３５】
本実施の形態によるリモート監視システムでは、受配電設備のリモートステーションから、受配電設備から監視情報を管理するデータセンタへ、監視対象機器や設備の状態、計測値のデータを送信し、データセンタにて監視情報を一元管理する。また、データセンタへ送信する監視対象機器や設備の状態、計測値を無駄のないデータに簡素化することで、データ送信に要する通信量を削減した受配電設備のリモート監視を可能とする。
【００３６】
前述した実施の形態１により、監視対象機器や設備の状態信号や故障信号、監視対象機器内の設定値変更、電源操作ログ情報について、変化があった場合のみ送信することにより、送信データの容量を削減できる。本発明により、受配電設備とデータセンタ間の通信量を削減することにより、無線接続でのリモート監視システムが可能となる。
【００３７】
従って、本発明に係わるリモート監視システムは、グラフの範囲を指定するグラフ作成要求を発行してグラフを作成し、作成したグラフはユーザインタフェースに表示する監視デバイスと、監視対象機器に接続され、この監視対象機器からサンプリングデータおよび変化データを入手するリモートステーションと、監視デバイスとインターネットを経由して接続し、リモートステーションとはキャリア網を経由してインターネットに接続するデータセンタと、を備え、リモートステーションは、変化データがあるかどうかを判定し、変化データがあると判定した場合には、サンプリングデータと変化データをキャリア網を通じて発信し、変化データがないと判定した場合には、サンプリングデータをキャリア網を通じて発信し、データセンタは、キャリア網とインターネットを経由して、リモート
ステーションからサンプリングデータまたは変化データを受信すると、蓄積データに格納することを特徴とする。
【００３８】
また、本発明に係わるリモート監視システムでは、監視デバイスは、グラフ作成要求を発行すると、データセンタに対して閲覧要求を発信し、データセンタは、監視デバイスから閲覧要求を受け付けると、格納されている蓄積データの中からこの閲覧要求に対応する蓄積データを抽出して監視デバイスに送信し、監視デバイスは、データセンタから蓄積データを受信すると、この蓄積データからグラフ作成要求に対応した加工データを生成し、この生成された加工データを取り入れてグラフを作成してユーザインタフェースに表示することを特徴とする。
【００３９】
実施の形態２．
図１３は、実施の形態２にかかわるリモート監視システムの構成例である。リモート監視システム１００は、監視デバイス１、データセンタ２、リモートステーション３、監視対象機器４０などから構成されている。監視デバイス１とデータセンタ２は、インターネット７で接続されている。リモートステーション３は、キャリア網８を通じて、インターネット７に接続している。キャリア網は、キャリア（通信事業者）の独自のネットワークを指している。
【００４０】
監視デバイス１は、汎用デバイスであり、通信処理部４、データ処理部５、ユーザインタフェース６などから構成されている。データセンタ２は、通信処理部９、データ入出力部１０、データ保存部１１などから構成されている。キャリア網８では、無線通信が使われている。監視対象機器４０は、リモートステーション３と専用線で接続されている。リモートステーション３は、他局通信部１５、リモートステーション制御部１４、データ入出力部１３、キャリア網通信処理部１２などから構成されている。
【００４１】
他局通信部１５は、監視対象機器４０の状態や故障の有無を監視している。他局通信部１５は、監視対象機器４０から計測値の情報を授受し、制御命令などを監視対象機器４０に出力する。リモートステーション制御部１４は、リモートステーション３の内部の制御処理を担っている。データ入出力部１３は、データの入出力を担っている。キャリア網通信処理部１２は、リモートステーション３の情報をデータセンタ２へ送信するために設けられている。
【００４２】
リモートステーション３のキャリア網通信処理部１２は、キャリア網８とインターネット７を介して、データセンタ２の通信処理部９と通信する。リモートステーション３の情報は、データセンタ２のデータ入出力部１０により、データ保存部１１に保存される。閲覧要求があると、保存されたデータは、データセンタ２のデータ処理部５で加工データ１６に加工される。監視デバイス１は、インターネット７を介してデータセンタ２の通信処理部９と通信し、データセンタ２は、監視デバイス１から監視データの閲覧要求があれば、加工データを送信する。監視デバイス１は、加工データを受信し、ユーザインタフェース６にて表示する構成となっている。
【００４３】
図１４は、この発明の本実施の形態にかかわるリモート監視システム１００におけるデータの流れを示している。本実施の形態に係るリモート監視システム１００では、サンプリングデータ１７、変化データ１８、設定データ１９、蓄積データ２０、加工データ１６、閲覧要求３５、グラフ作成要求３６などが扱われている。サンプリングデータ１７は、監視対象機器における計測値をサンプリングしたデータを意味している。変化データ１８は、監視対象機器４０の状態信号や故障信号の変化、また監視対象機器４０の内部の設定値変更や電源操作を記録したログ情報の変化を、意味している。
【００４４】
設定データ１９は、実施の形態１と同様に、監視対象機器の、状態信号や故障信号、電流や電圧などのアナログ信号の設定値を管理している。データセンタ２は、蓄積データ２０に、サンプリングデータ１７と変化データ１８を格納している。監視デバイス１では、加工データ１６を基にして、グラフデータと帳票データを作成する。
【００４５】
本実施の形態に関わる設定データ１９は、実施の形態１と同様に、監視対象機器の計測値を表している（図４を参照）。例えば、アナログ信号の場合、回路ナンバー２１には、各信号にユニークな番号を割り付けている。回路ナンバー２１に対して、リモート監視システムにて表示する信号名称２２、計測機器におけるカウント最小２３とカウント最大２４、表示時にカウント値を工学値変換するために用いる工学レンジ最小２５と工学レンジ最大２６、単位２７を割り付けている。
【００４６】
本実施の形態に関わる設定データ１９は、実施の形態１と同様に、監視対象機器４０の状態信号、故障信号を含んでいる（図５を参照）。ユニークな番号である回路ナンバー２１に対して、信号名称２２、ＯＮ時に表示するＯＮ側名称２８、ＯＦＦ時に表示するＯＦＦ側名称２９を割り付けている。
【００４７】
本実施の形態に関わるサンプリングデータ１７は、実施の形態１と同様に、監視対象機器の計測値（アナログ信号におけるデータ）を示している（図６を参照）。リモートステーション３の他局通信部１５は、監視対象機器４０の計測データを定周期でサンプリングし、その時刻３０に対するアナログ信号の計測値を紐づけている。サンプリングデータ１７は、リモートステーション３のキャリア網通信処理部１２からデータセンタ２へ送信される。
【００４８】
本実施の形態に関わる変化データ１８は、実施の形態１と同様に、状態信号とログ情報の変化データを示している（図７を参照）。ここで、ログ情報は、監視対象機器４０における内部の設定値変更や電源操作を記録したものである。変化データ１８は、状態信号やログ情報が変化した時刻３０に対して、記録されている。監視対象機器４０の状態信号の場合は、変化した信号の回路ナンバー２１と変化後の状態信号/故障信号３１を紐づける。監視対象機器４０のログ情報の場合は、監視対象機器ＩＤ３３とログ内容を示すログコード３２を紐づける。監視対象機器ＩＤ３３は、設定値変更や電源操作が行われた対象（監視対象機器）を示している。ログコード３２は、「0Ah」、「10h」、「06h」などの予め決められた１６進数の記号で、装置（監視対象機器）の状態を表している。
【００４９】
本実施の形態では、データセンタ２は、実施の形態１と同様に、蓄積データ２０を扱う（図８を参照）。蓄積データ２０は、サンプリングデータ１７と変化データ１８における、監視対象機器の状態信号、故障信号、計測値を蓄積させたデータを表している。蓄積データ２０は、データのサンプリングを行った時刻３０に対して、例えばアナログ信号の場合、監視対象機器４０の電流、電圧、気温などの計測値を紐づけている。
【００５０】
本実施の形態では、データセンタ２のデータ処理部５が、加工データ１６を生成する。データセンタ２では、閲覧要求３５に基づいて、蓄積データ２０より必要なデータを抽出し、データ処理部５により加工データ１６を生成する。例えば、アナログ信号の場合、指定の回路ナンバー２１における、アナログ信号のサンプリングを行った時刻３０ごとの加工データ１６を生成する（図１１を参照）。データセンタ２は、監視デバイス１に、生成された加工データ１６を送信する。監視デバイス１は、受信した加工データ１６をもとに、グラフデータや帳票データを、ユーザインタフェース６に表示する。
【００５１】
図１５は、本実施の形態に係わる、監視デバイス１が発行する閲覧要求（要求データ）３５を表している。閲覧要求３５は、グラフや帳票の作成に必要なデータの範囲を表しており、ここでは回路ナンバー２１と取得範囲３４から構成されている。回路ナンバー２１は、グラフまたは帳票の作成する監視対象機器を指定している。
【００５２】
取得範囲３４は、開始時刻と終了時刻を指定して、グラフまたは帳票を作成する期間を指定している。ここでは、回路ナンバー「１」と回路ナンバー「５」の機器に対して、時刻（2016/02/29/ 18:10:00）から時刻（2016/02/29/ 8:14:00）までの、グラフおよび帳票を作成することを要求している。加工データ１６は、閲覧要求３５の回路ナンバー２１と取得範囲３４をもとに、データ処理部５が蓄積データ２０から必要な範囲のデータを抽出することで生成される。
【００５３】
図１６は、本実施の形態に関わるリモート監視システム１００の処理フローを示している。リモートステーション３は、監視対象機器４０の状態信号、故障信号、監視対象機器の内部のログ情報について、変化があるかどうかを常に監視している（Ｓ００１）。リモートステーション３は、変化データがない場合はサンプリングデータ１７のみをデータセンタ２へ送信する（Ｓ００３）。変化データがあった場合は、変化データ１８とサンプリングデータ１７をデータセンタ２へ送信する（Ｓ００２，Ｓ００３）。データセンタ２は、受信した変化データ１８およびサンプリングデータ１７を蓄積データ２０へ格納する（Ｓ００４）。
【００５４】
さらに、データセンタ２は、監視デバイス１からデータ送信の要求があるかどうかを監視している（Ｓ００５）。データセンタ２は、閲覧要求３５を受信した場合、データ処理部５にて、蓄積データ２０から表示用に加工した加工データ１６を生成する（Ｓ００９）。データセンタ２は、データ処理部５にて生成した加工データ１６を監視デバイス１に送信する（Ｓ０１０）。監視デバイス１は、受信した加工データ１６をもとにして、グラフまたは帳票を作成して、ユーザインタフェース６に表示する（Ｓ００８）。閲覧要求が無い場合は、Ｓ００１の処理へ戻る。従って、監視デバイス１はデータセンタ２にアクセスすることで加工データ１６の内容をユーザインタフェース６に表示する。
【００５５】
本実施の形態によるリモート監視システムは、受配電設備の監視制御システムにおいて、受配電設備の監視制御対象機器や設備の状態、計測値をデータセンタにて一元管理し、必要に応じてデータセンタ上にて表示用のデータに加工する。ユーザの監視デバイスは、データセンタにアクセスすることにより受配電設備を監視することができ、監視デバイスの汎用化が可能である。また、データセンタにて監視対象機器や設備の状態、計測値をデータセンタ上にて表示用データに加工する機能を備えることにより、ユーザ側の監視デバイスの汎用化が可能となる。
【００５６】
前述した実施の形態２により、監視デバイス１は、データセンタ２へアクセスすることにより監視対象機器や設備の状態、計測値、監視対象機器内のログ情報を閲覧することができる。このようにデータ処理部５における処理をデータセンタ２上にて行うことにより、監視デバイス１の専用アプリケーションが不要となり、監視デバイスの汎用化が可能となる。すなわち、データセンタにて監視対象機器や設備の状態、計測値をデータセンタ上にて表示用データに加工する機能を備えることにより、ユーザ側の監視デバイスの汎用化が可能となる。
【００５７】
また、本発明に係わるリモート監視システムでは、監視デバイスは、グラフ作成要求を発行すると、データセンタに対してこのグラフ作成要求に対応した閲覧要求を発信し、データセンタは、監視デバイスから閲覧要求を受け付けると、格納されている蓄積データからこの閲覧要求に対応した加工データを生成し、生成した加工データは監視デバイスに送信し、監視デバイスは、データセンタから加工データを受信すると、この加工データを取り入れてグラフを作成してユーザインタフェースに表示することを特徴とする。
【００５８】
なお、本発明は、その発明の範囲内において、実施の形態を自由に組み合わせたり、各実施の形態を適宜、変形、省略することが可能である。
【産業上の利用可能性】
【００５９】
実施の形態１の場合、監視対象機器や設備の状態や計測値、監視対象機器内のログ情報を簡素化し、データセンタへ送信するデータ容量を削減するでき、有線通信方式と比べ通信速度が遅い無線通信方式による通信も可能となる。実施の形態２では、データセンタ上に監視対象機器や設備の状態や計測値、監視対象機器内のログ情報を加工する機能を備えることにより、監視デバイスの汎用化を可能とする。
【符号の説明】
【００６０】
１  監視デバイス、１ａ  受信装置、１ｂ  プロセッサ、１ｃ  メモリ、１ｄ  ディスプレイ、２  データセンタ、２ａ  受信装置、２ｂ  プロセッサ、２ｃ  メモリ、２ｄ  ディスプレイ、３  リモートステーション、３ａ  受信装置、３ｂ  プロセッサ、３ｃ  メモリ、３ｄ  ディスプレイ、４  通信処理部、５  データ処理部、６  ユーザインタフェース、７  インターネット、８  キャリア網、９  通信処理部、１０  データ入出力部、１１  データ保存部、１２  キャリア網通信処理部、１３  データ入出力部、１４  リモートステーション制御部、１５  他局通信部、１６  加工データ、１７  サンプリングデータ、１８  変化データ、１９  設定データ、２０  蓄積データ、２１  回路ナンバー、２２  信号名称、２３  カウント最小、２４  カウント最大、２５  工学レンジ最小、２６  工学レンジ最大、２７  単位、２８  ＯＮ側名称、２９  ＯＦＦ側名称、３０  時刻、３１  状態信号/故障信号、３２  ログコード、３３  監視対象機器ＩＤ、３４  取得範囲、３５  閲覧要求、３６  グラフ作成要求、４０  監視対象機器、１００  リモート監視システム
【図１】
2017208633.tif 000003
【図２】
2017208633.tif 000004
【図３】
2017208633.tif 000005
【図４】
2017208633.tif 000006
【図５】
2017208633.tif 000007
【図６】
2017208633.tif 000008
【図７】
2017208633.tif 000009
【図８】
2017208633.tif 000010
【図９】
2017208633.tif 000011
【図１０】
2017208633.tif 000012
【図１１】
2017208633.tif 000013
【図１２】
2017208633.tif 000014
【図１３】
2017208633.tif 000015
【図１４】
2017208633.tif 000016
【図１５】
2017208633.tif 000017
【図１６】
2017208633.tif 000018